(57)【要約】【課題】紙を用いながらも、天然の藺草の風合いを出すことができる畳表及びその製造方法を提供する。【解決手段】本発明に係る畳表の製造方法は、複数の経糸を平行に配置する第１ステップと、所定の幅を有する長尺状の紙を緯糸として、撚りをかけない状態で、前記複数の経糸に対して織り込む第２ステップと、前記緯糸に対して、筬打ちする第２ステップと、を備え、前記第２及び第３ステップを繰り返すことで製織を行う。【選択図】図１
2014095187.tif 000002
【特許請求の範囲】
【請求項１】
複数の経糸を平行に配置する第１ステップと、
所定の幅を有する長尺状の紙を緯糸として、撚りをかけない状態で、前記複数の経糸に対して織り込む第２ステップと、
前記緯糸に対して、筬打ちする第３ステップと、を備え、
前記第２及び第３ステップを繰り返すことで製織を行う、畳表の製造方法。
【請求項２】
前記筬打ちが施される前の前記緯糸の幅は、３〜１００ｍｍである、請求項１に記載の畳表の製造方法。
【請求項３】
前記経糸の方向において、１ｃｍ当たり８〜２０本の緯糸が配置されている、請求項１または２に記載の畳表の製造方法。
【請求項４】
前記経糸の方向に並ぶ複数の前記緯糸を連結するように、前記経糸の方向に沿って平行に延びる複数の連結糸をさらに備え、
前記複数の連結糸は、前記緯糸において前記経糸の下側に配置される箇所に織り込まれている、請求項１から３のいずれかに記載の畳表の製造方法。
【請求項５】
請求項１から４のいずれかに記載の製造方法により製造される畳表。
【発明の詳細な説明】
【技術分野】
【０００１】
本発明は、畳表及びその製造方法に関する。
【背景技術】
【０００２】
近年、畳表にとって藺草には無い特徴と機能を持たせるという観点から、藺草の代わりに、紙を用いる畳表が提案されている。例えば、特許文献１では、針葉樹の木質繊維を主体とした紙を２０〜４０ｍｍ幅に裁断し、これに撚りをかけて筒状にした後、織機で織り込むことで製造される畳表が開示されている。
【先行技術文献】
【特許文献】
【０００３】
【特許文献１】特許第２８８５６５８号公報
【発明の概要】
【発明が解決しようとする課題】
【０００４】
しかしながら、上述したような紙を用いた畳表では天然の藺草の風合いを出すのが難しく、特に、柔らかさに劣るという問題があった。そこで、本発明は、上記問題を解決するためになされたものであり、紙を用いながらも、天然のような柔らかさを出すことができる畳表及びその製造方法を提供することを目的とする。
【課題を解決するための手段】
【０００５】
本発明に係る畳表の製造方法は、複数の経糸を平行に配置する第１ステップと、所定の幅を有する長尺状の紙を緯糸として、撚りをかけない状態で、前記複数の経糸に対して織り込む第２ステップと、前記緯糸に対して、筬打ちする第３ステップと、を備え、前記第２及び第３ステップを繰り返すことで製織を行う。
【０００６】
この構成によれば、製織を行う際に、緯糸として、所定の幅を有する長尺状の紙を用いており、この緯糸を撚らずに経糸に対して織り込んでいる。そして、織り込まれた緯糸を筬打ちすることで、所定幅の紙を押しつぶして緯糸としての形を整えている。これにより、紙を撚った糸のように硬くならず、畳表に柔らかさを付与することができる。その結果、天然の藺草ように肌触りを向上することができる。また、緯糸には、押しつぶされる際に皺が形成されるため、この皺が天然の藺草に似た見た目の風合いを生じさせることができる。したがって、紙を用いながらも、柔らかな天然の藺草のような風合いを備えた畳表を製造することができる。さらに、紙を用いる場合には、従来は撚った紙を用いているが、本発明の方法に撚れば、紙を撚る工程を行わないため、製造時間を大幅に短縮することができる。なお、「撚りをかけない」とは、いわゆる繊維のような撚りをかけないことをいい、緯糸を搬送する工程で、例えば、ガイドなどを通過する際に、幅が多少狭まったり、折れたりとしても、これは「撚りをかけない」に含まれる。
【０００７】
上記製造方法においては、前記筬打ちが施される前の前記緯糸の幅を、３〜１００ｍｍとすることができる。これは、１００ｍｍより大きくなると、筬打ちの際に緯糸を十分に押しつぶすことができず、隣接する緯糸の間に隙間が生じるおそれがあることによる。一方、３ｍｍより小さいと、緯糸が押しつぶされすぎて天然藺草のような風合いを出しにくいという問題があることによる。
【０００８】
上記製造方法においては、前記経糸の方向において、１ｃｍ当たり８〜２０本の緯糸を配置することが好ましく、１０〜１５本とすることがさらに好ましい。これは、２０本以下にすると、少ない本数の緯糸で畳表を製織することができるため、コストを低減できるとともに、製造時間を大幅に短縮することができるからである。また、８本より少なくすると、隣接する緯糸の間に隙間が形成されるおそれがあり、好ましくないからである。
【０００９】
上記製造方法においては、前記経糸の方向に並ぶ複数の前記緯糸を連結するように、前記経糸の方向に沿って平行に延びる複数の連結糸をさらに設け、前記複数の連結糸を、前記緯糸において前記経糸の下側に配置される箇所に織り込むことができる。
【００１０】
このような連結糸を設けることで、畳表に負荷がかかった場合でも、隣接する緯糸の間に隙間が形成されるのを防止することができる。特に、経糸の方向において、例えば、１ｃｍ当たり１２本前後本の緯糸を配置する場合には、負荷によっては隙間が生じやすくなるがあるが、連結糸を設けることで、これを防止することができる。
【００１１】
また、本発明に係る畳表は、上述したいずれかに記載の製造方法により製造される。
【発明の効果】
【００１２】
本発明によれば、紙を用いながらも、天然の藺草の風合いを出すことができる。
【図面の簡単な説明】
【００１３】
【図１】本発明に係る畳表の製造方法の一実施形態を示す概略の平面図（ａ）及び断面図（ｂ）であり、緯糸の挿入を示す図である。
【図２】本発明に係る畳表の製造方法の一実施形態を示す平面図であり、筬打ちを示す図である。
【図３】本発明に係る畳表の製造方法の一実施形態を示す概略の平面図（ａ）及び断面図（ｂ）であり、畳表の裏面を示す図である。
【図４】本発明の実施例に係る畳表の表面を示す写真（ａ）とその拡大写真（ｂ）である。
【図５】本発明の実施例に係る畳表の裏面を示す写真（ａ）とその拡大写真（ｂ）である。
【発明を実施するための形態】
【００１４】
以下、本発明の一実施形態に係る畳表の製造方法について、図面を参照しつつ説明する。図１は本発明に係る畳表の製造方法の一実施形態を示す概略の平面図（ａ）及び断面図（ｂ）である。
【００１５】
＜１．緯糸＞
まず、緯糸となるパルプは、種々のものを用いることができるが、例えば、針葉樹を主体としたパルプを用いることができる。具体的には、ノーザンパイン、スプルース、松、杉などの針葉樹を用いることができる。そして、このようなパルプにより形成されたロールを準備する。このパルプの坪量は、例えば、１５〜６０ｇ／ｍ2とすることができる。そして、このロールを繰り出しながら、所定の幅に裁断し、幅の小さい複数のロールを生成する。このとき裁断されるロールの幅は、例えば、３〜１００ｍｍとすることが好ましく、５〜３０ｍｍとすることがさらに好ましく、１０〜１９ｍｍとすることが特に好ましい。
【００１６】
＜２．経糸＞
本実施形態における製織においては、経糸は、種々のものを用いることができるが、例えば、綿糸、麻糸のような天然繊維のほか、ポリプロピレン、ポリエチレン、塩化ビニルなどの樹脂製の繊維を用いることができる。経糸の径は、適宜設定できるが、例えば、１．０〜２．０ｍｍ程度とすることができる。また、経糸は一本の糸を用いることもできるが、複数の糸を撚って用いることもできる。
【００１７】
＜３．製織＞
製織工程は、畳表を製造する際の公知の製織機を用いた公知の工程を採用することができる。本実施形態においては、１つの目に１本の経糸が配置された目積織りを用いた場合について説明する。まず、公知の方法で、複数の経糸１を平行に配置し（第１ステップ）、経糸１の開口運動を行いつつ、緯糸２を挿入し（第２ステップ）、筬打ちを行う（第３ステップ）。このとき、挿入される緯糸２０（ここでは、説明の便宜上、押しつぶされる前の経糸の符号を２０とする）は、上述したロールから繰り出したものであるが、図１に示すように、撚りをかけず、上述した幅のまま経糸１の間に挿入される。これに続いて、図２に示すように、緯糸２０に対して筬５による筬打ちが施される。筬５は、公知の筬を用いることができ、図示を省略するが複数の筬羽を備えたものである。これにより、緯糸２０は筬５によって押しつぶされて、幅が縮まる。このとき、緯糸２の密度としては、経糸方向Ｘの１ｃｍ中に、緯糸が８〜２０本、好ましくは、１０〜１５本配置されるように、筬打ちが行われる。例えば、図１の例では、１ｃｍ当たり、約１３本の緯糸が織り込まれている。筬打ちは、１本の緯糸２が挿入されるごとに行われるが、複数の緯糸２が挿入された後に、複数の緯糸２に対して筬打ちを行うこともできる。
【００１８】
また、必要に応じて、経糸１と平行に編み込まれた連結糸３によって、緯糸２を連結することもできる。図３に示すように、この連結糸３は、畳表の裏面で、緯糸２において表側に露出しない部分、つまり経糸１の下側にある箇所に織り込まれる。織り方は、例えば、直線縫い、飾り縫いなど、公知の織り方（縫い方）を採用することができ、例えば公知の方法で緯糸２とともに織り込むことができる。このような連結糸３としては、綿糸、麻糸など、経糸と同様の材料からなる糸を用いることができる。また、畳表の表側に見えないようにするため、糸の径は細い方が好ましく、例えば、０．５〜１．０ｍｍとすることができる。
【００１９】
＜４．特徴＞
以上のように、本実施形態によれば、製織を行う際に、緯糸２として、所定の幅を有する長尺状の紙を用いており、この緯糸２０を撚らずに経糸に対して織り込んでいる。そして、織り込まれた緯糸２０を筬打ちすることで、紙を押しつぶして緯糸としての形を整えている。これにより、紙を撚った糸のように硬くならず、畳表に柔らかさを付与することができる。その結果、天然の藺草のように肌触りを向上することができる。また、緯糸２には、押しつぶされる際に皺が形成されるため、この皺が天然の藺草に似た見た目の風合いを生じさせることができる。したがって、紙を用いながらも、撚った紙とは異なり、柔らかな天然の藺草の風合いを備えた畳表を製造することができる。
【００２０】
従来例のように、撚った紙を用いて畳表を織る場合と比べ、紙を撚る工程がないため、製造時間を大幅に短縮することができ、ひいては製造コストの低減も可能である。
【００２１】
上述したような連結糸３を用いると、畳表に負荷がかかった場合でも、緯糸の間に隙間が形成されて、これが広がるのを防止することができる。そのため、連結糸３を用いることで、緯糸２の密度を小さくすることができ、例えば、経糸方向Ｘに１５本／ｃｍ以下とすることもできる。このように、緯糸の密度を小さくすると、一枚の畳表で使用する緯糸の量が少なくなるため、コスト低減とともに、製造時間も大幅に短縮することができる。
【００２２】
また、紙を緯糸とすると、通常の天然藺草を用いた畳表よりも大きい幅の畳表を製造することができる。すなわち、天然の藺草は、おおよそ１．０〜１．５ｍの長さしかないため、製造される畳表の幅も必然的にこの幅になってしまうが、紙で緯糸を形成する場合には、緯糸の長さの制限がないため、畳表の幅も長くすることができる。例えば、２．０ｍ以上の幅の畳表を製造することも可能である。これにより、製造効率が大幅に向上する。
【００２３】
＜５．変形例＞
本発明は上記実施形態に限定されるものではなく、その趣旨を逸脱しない限りにおいて、種々の変更が可能である。
【００２４】
上記実施形態では、目積織りを用いた例を説明したが、その方法は特には限定されない。例えば、一般的な畳表の織り方である普通目織り、諸目織り、大目織り、引き目織り、綾織りなど、種々の織り方で製織することができ、また、１つの目に入る経糸の数も特には限定されない。
【実施例】
【００２５】
以下、本発明の実施例について説明する。但し、本発明は以下の実施例に限定されない。本実施例の畳表は以下の材料を用いることにより、製造した。
【００２６】
(1) 経糸
径が約１．５ｍｍの綿糸を用いた。この経糸は複数の糸を撚ったものである。また、経糸の間隔は、約５ｍｍである。
(2) 緯糸
針葉樹を主体としたパルプを材料として、幅が約１５ｍｍのパルプが巻き取られたロールを形成した。坪量は、約２０ｇ／ｍ2である。
(3) 連結糸
径が約０．５ｍｍの綿糸を用い、緯糸において、畳表の裏面に現れる箇所に、直線縫いとした。
(4) 緯糸の密度
経糸の方向に対し、１ｃｍ当たり、約１２本の緯糸を配置した。
【００２７】
以上の材料を用い、１つの目に１つの経糸が配置される目積織りによって織製を行った結果、図４及び図５のような畳表が織製された。図４は製織された畳表の表面、図５はその裏面である。表面を触ったところ、紙を撚っていないため、硬さがなく、柔らかさを感じる風合いとなっていた。また、図４に示すように、緯糸には適度に皺が寄り、天然の藺草のような見た目の風合いが現れていた。緯糸は上述したように、１ｃｍ当たり１２本入っている。また、図５に示すように、緯糸同士は連結糸によって連結されているため、緯糸間に隙間が形成されるのが防止されていた。
【符号の説明】
【００２８】
１  経糸
２  緯糸
３  連結糸
５  筬
【図１】
2014095187.tif 000003
【図２】
2014095187.tif 000004
【図３】
2014095187.tif 000005
【図４】
2014095187.tif 000006
【図５】
2014095187.tif 000007